(57)【要約】      （修正有）【課題】  短時間で簡単に施工できる配管用遮音材を提供する。【解決手段】  グラスウール、又はロックウールである無機繊維あるいはポリエチレン、又はポリウレタンである発泡系保温剤を材料を使って作られたエルボ部にフィットする形状に成形されたパイプカバー５と遮音シート４を貼り合わせて一体化され、且つ閉じる方向に弾性力を有して２つ割り形状になっているエルボ部用遮音材２を排水管１のエルボ部にフィットする形状に成型することにより、曲面を持つ配管のエルボ部に対して取付作業を容易にして作業時間を短くした。【選択図】図１
2005221076.tif 000002
【特許請求の範囲】
【請求項１】
排水管のエルボ部を包むように装着されるエルボ部用遮音材であって、このエルボ部用遮音材は、遮音シートとエルボ部にフィットする形状に成形されたパイプカバーを貼り合わせてなり、且つ閉じる方向に弾性力を有する２つ割り形状になっていることを特徴とするエルボ部用遮音材。
【請求項２】
請求項１に記載のエルボ部用遮音材において、前記パイプカバーが無機繊維又は発泡系保温材で形成したことを特徴とするエルボ部用遮音材。
【請求項３】
請求項２に記載のエルボ部用遮音材において、前記無機繊維がグラスウール、又はロックウールであり、前記発泡系保温剤がポリエチレン、又はポリウレタンであることを特徴とするエルボ部用遮音材。
【発明の詳細な説明】
【技術分野】
【０００１】
本発明は、ビルやマンションなどの配管における騒音を遮音する配管のエルボ用遮音材に関する。
【背景技術】
【０００２】
従来、ビルやマンションなどの排水管における騒音を低減する方法としては、吸音材であるグラスウールを排水管に施工した上にシート状の遮音材を巻く方法が知られている。また、他の方法として、合成樹脂の吸音材と遮音シートを貼り合わせて一体化したシート状の遮音材を、排水管にフィットするように排水管の形に合わせて巻き付けてテープ等で止める方法が知られている。
【０００３】
また、住宅の床下や壁内に敷設された上下水道管の周りに被覆された住宅排水管に発泡樹脂製で半割れ形状をはめ合わせた単位体で、該単位体を長手方向に接合して連続体とし、各単位毎に両端をバンドで締め付け固定する技術も提案されている（特許文献１）。
【０００４】
更に、筒状に曲成し得る防音シートの内周面に軟質吸音シートを積層した排水管防音カバーにおいて、軟質吸音シートの幅方向の適所に長手方向に亘って切断用切り目をいれた排水管防音カバーも提案されている（特許文献２）。
【０００５】
また、シート状に連続したロックウールを充填した袋を遮音性を有する軟質シートの巻回方向に剥離自在に並設した排水管の防音カバーも提案されている（特許文献３）。
【特許文献１】登録実用第３０３７７４０号公報
【特許文献２】実開平０４−１１９８６６号公報
【特許文献３】実開平０７−０２８２９５号公報
【発明の開示】
【発明が解決しようとする課題】
【０００６】
しかし、吸音材であるグラスウールを排水管に施工した後、更にシート状の遮音材を巻くのでは二度手間で施工に時間が掛かる。一方、吸音材と遮音シートを貼り合わせて一体化したシート状の遮音材を用いても、立体形状の排水管にフィットするように巻き付けるのは、作業性が悪く施工に時間が掛かり、特にエルボ部については非常に作業性が悪い。
【０００７】
また、特許文献１には、エルボ用部材は、コーナー用防音材として記載されているが、部材は２分割されていて扱い難く、特にエルボ部においては２つの部品を合体させるのに慣れを要する。
【０００８】
更に、特許文献２には、排水管の径が変わっても取り付けることができる排水管防音カバーについて記載されているが、成形品ではないので、取り扱いが面倒である。
【０００９】
また、特許文献３にはロックウールを充填した袋を遮音性を有する軟質シートの巻回方向に剥離自在に並設した排水管の防音カバーが記載されているが、エルボ部に巻き付ける際の成形方法などに関しての記載も示唆も無い。
【００１０】
本発明は、従来の技術が有するこのような問題点に鑑みてなされたものであり、その目的とするところは、短時間で簡単に施工できる配管用遮音材、特に短時間で取り付けられるエルボ部の部材を提供しようとするものである。
【課題を解決するための手段】
【００１１】
上記課題を解決すべく本発明は、排水管のエルボ部を包むように装着されるエルボ部用遮音材において、このエルボ部用遮音材は、遮音シートとエルボ部にフィットする形状に成形されたパイプカバーを貼り合わせてなり、且つ閉じる方向に弾性力を有する２つ割り形状としたものである。
【００１２】
エルボ部材用遮音材を２つ割り構造とすることで、部品は単体構成となり、作業時間が短くなると共に、２分割部品の場合のように片方を無くしたりすることがなくなる。
【００１３】
また本願発明においては、エルボ部材用遮音材を無機繊維又は発泡系保温材で形成するようにした。
【００１４】
更に、前記無機繊維はグラスウール、又はロックウールであり、前記発泡系保温剤はポリエチレン、又はポリウレタンであるようにした。
【発明の効果】
【００１５】
本発明のエルボ部材用遮音材は、部品構成を一体型部品とすることにより部品管理が楽になり、しかも閉じる方向に弾性力を有するので、部品装着が簡単で、しかも作業時間が短かくなる。
【発明を実施するための最良の形態】
【００１６】
以下に本発明の実施の形態を添付図面に基づいて説明する。ここで、図１は本発明に係る配管用遮音材の施工状態の分解斜視図、図２は施工方法の説明図、図３は施工後の側面図、図４は図３のＡ−Ａ線断面図である。
【００１７】
本発明に係る配管用遮音材は、図１に示すように、排水管１に装着するエルボ部用遮音材２と直管部用遮音材３とからなる。
【００１８】
エルボ部用遮音材２は、遮音シート４と排水管１のエルボ部にフィットする形状に成型されたグラスウール製のパイプカバー５を接着剤で貼り合わせてなる。直管部用遮音材３は、遮音シート６と排水管１の直管部にフィットする形状に成型されたグラスウール製のパイプカバー７を接着剤で貼り合わせてなる。
【００１９】
直管部用遮音材３の遮音シート６には、その巻きじまいに沿って両面テープ８が設けられている。なお、９は両面テープ８で遮音シート６の巻きじまいを固定した後に、その上から貼るジョイントテープ、１０はエルボ部用遮音材２と直管部用遮音材３の突き合せ部、及び直管部用遮音材３と直管部用遮音材３の突き合せ部などに貼るジョイントテープである。
【００２０】
以上のように構成した本発明に係る配管用遮音材の施工方法について説明する。先ず、２つ割りになっているエルボ部用遮音材２を広げて排水管１のエルボ部を包むように装着する。ここで、エルボ部用遮音材２は、２つ割りになっているものの閉じる方向に適度な弾性力を有するためエルボ部から外れることなく、図２に示すように、排水管１のエルボ部に円滑に装着できる。
【００２１】
次いで、図２に示すように、直管部用遮音材３をその端部を先に装着したエルボ部用遮音材２に突き当てて隙間が生じないように排水管１の直管部に取り付け、両面テープ８で遮音シート６の巻きじまいを固定して装着する。
【００２２】
次いで、図３に示すように、両面テープ８で遮音シート６の巻きじまいを固定した後に、その上からジョイントテープ９を貼る。更に、エルボ部用遮音材２と直管部用遮音材３の突き合せ部、及び直管部用遮音材３と直管部用遮音材３の突き合せ部にジョイントテープ１０を貼って施工は完成する。図４は排水管１の直管部に直管部用遮音材３を装着した状態の断面を示す。
【００２３】
なお、従来のシート状遮音材と本発明に係る配管用遮音材との施工時間を比較すると、１００φの塩化ビニル管で直管部４ｍ、９０°エルボ２箇所に対する施工時間は、従来のシート状遮音材で約４０分、本発明に係る配管用遮音材で約２０分である。
【００２４】
吸音材としてのパイプカバー５，７は、グラスウールに限らず、例えばロックウールのような無機繊維、ポリエチレン、ポリウレタンなどの発泡系保温材で形成することができる。
【００２５】
また、吸音材の厚さは如何なる厚さにも対応可能であるが、施工スペースを考慮すると、１０ｍｍ〜５０ｍｍ、望ましくは１０ｍｍ〜３０ｍｍがよい。
【００２６】
パイプカバー５，７と遮音シート４，６を貼り合わせる接着剤としては、溶剤系接着剤でなくてもよく、例えばホットメルトなどでもよい。
【００２７】
施工の対象となる配管は、塩化ビニル管、鋼管、鋳鉄管など如何なる配管でもよく、本発明に係る配管用遮音材は、直管部はもとより、エルボ部も９０°、４５°、ソケット、チーズ、Ｙ管、フランジ付きなど如何なる配管の形状にも対応するように製造することができる。
【産業上の利用可能性】
【００２８】
通常における配管工事は複数箇所の作業であり、特に作業時間を要するエルボ部の遮音部材取付けにおいて作業時間短縮がなされ、かつ部品管理が楽になることにより、特に大型ビルなどの大規模な建設現場における工期短縮に貢献することが期待される。
【図面の簡単な説明】
【００２９】
【図１】本発明に係る配管用遮音材の施工状態の分解斜視図
【図２】施工方法の説明図
【図３】施工後の側面図
【図４】図３のＡ−Ａ線断面図
【符号の説明】
【００３０】
１…排水管、２…エルボ部用遮音材、３…直管部用遮音材、４，６…遮音シート、５，７…パイプカバー、８…両面テープ、９，１０…ジョイントテープ。
【図１】
2005221076.tif 000003
【図２】
2005221076.tif 000004
【図３】
2005221076.tif 000005
【図４】
2005221076.tif 000006
【手続補正書】
【提出日】平成17年5月12日(2005.5.12)
【手続補正１】
【補正対象書類名】特許請求の範囲
【補正対象項目名】全文
【補正方法】変更
【補正の内容】
【特許請求の範囲】
【請求項１】
排水管のエルボ部を包むように装着されるエルボ部用遮音材であって、このエルボ部用遮音材は、遮音シートとエルボ部にフィットする形状に成形されたパイプカバーを貼り合わせてなり、更にこのエルボ部用配管用遮音材は２つ割りになっているものの一部でつながっていることで閉じる方向に弾性力を有する２つ割り形状になっていることを特徴とするエルボ部用遮音材。
【請求項２】
請求項１に記載のエルボ部用遮音材において、前記パイプカバーが無機繊維又は発泡系保温材で形成したことを特徴とするエルボ部用遮音材。
【請求項３】
請求項２に記載のエルボ部用遮音材において、前記無機繊維がグラスウール、又はロックウールであり、前記発泡系保温剤がポリエチレン、又はポリウレタンであることを特徴とするエルボ部用遮音材。
【手続補正２】
【補正対象書類名】明細書
【補正対象項目名】００１１
【補正方法】変更
【補正の内容】
【００１１】
上記課題を解決すべく本発明は、排水管のエルボ部を包むように装着されるエルボ部用遮音材において、このエルボ部用遮音材は、遮音シートとエルボ部にフィットする形状に成形されたパイプカバーを貼り合わせてなり、更にこのエルボ部用配管用遮音材は２つ割りになっているものの一部でつながっていることで閉じる方向に弾性力を有する２つ割り形状としたものである。